(57)【要約】【課題】作業車輌の作業装置を無線式の遠隔操作装置により操作するようにした場合でも、操作性が良く、しかも既存の有線式の遠隔操作装置に利用していた収納ボックスを併用することができるなどの利便性に優れた作業車輌における遠隔操作装置を提供する。【解決手段】車体に作業装置が架装された作業車輌において、前記作業装置を操作する無線式の遠隔操作装置６が設けられ、当該無線式の遠隔操作装置６は、そのケース本体６ａが車輌に設けられた既存の有線式の遠隔操作装置５のケース本体５ａと同様に構成されている。【選択図】  図５
2005119338.tif 000002
【特許請求の範囲】
【請求項１】
車体に作業装置が架装された作業車輌において、
前記作業装置を操作する無線式の遠隔操作装置が設けられ、当該無線式の遠隔操作装置は、そのケース本体が車輌に設けられた既存の有線式の遠隔操作装置のケース本体と同様に構成されたことを特徴とする作業車輌における遠隔操作装置。
【発明の詳細な説明】
【技術分野】
【０００１】
本発明は、作業装置が搭載された作業車輌において、この作業装置を遠隔操作するための遠隔操作装置に関するものである。
【背景技術】
【０００２】
従来、作業装置としての例えば荷受台昇降装置を車体上の荷箱後部に搭載した作業車輌が提供されている。そして、この作業車輌には荷受台昇降装置を作動操作する有線式の遠隔操作装置が設けられており、この遠隔操作装置を用いて荷受台を昇降させることによって荷物の積降ろしを行っている（例えば、特許文献１参照）。
【特許文献１】特開２００２−１１４０７４号公報
【発明の開示】
【発明が解決しようとする課題】
【０００３】
しかしながら、有線式の遠隔操作装置による操作ではケーブルの長さに相当する一定範囲での操作になることから、例えば既存の作業車輌において利便性を考慮して有線式の遠隔操作装置に代えて無線式の遠隔操作装置を用いて操作できるように改良する場合もある。
【０００４】
このような場合、無線式の遠隔操作装置のケース本体などを既存の車輌に設けていた有線式の遠隔操作装置と全く別のものとすると、手慣れた有線式の遠隔操作装置を操作していた作業者にとっては操作感覚が異なることから使い勝手が悪く、操作に慣れるまでの負担が大きいという問題があった。
【０００５】
また、走行時等の作業を行わない場合には、遠隔操作装置を車輌の適所に設けた収納ボックスに収納しておくのが通常であるが、無線式の遠隔操作装置は小型化の傾向にあるため、サイズの異なる有線式の遠隔操作装置を収納していた収納ボックスを併用することができない。このため無線式の遠隔操作装置を用いる場合には、新たに専用の収納ボックスを設けなければならなかった。
【０００６】
本発明は、上記問題点に鑑みてなされたもので、その目的とするところは、作業車輌の作業装置を無線式の遠隔操作装置により操作するようにした場合でも、操作性が良く、しかも既存の有線式の遠隔操作装置に利用していた収納ボックスを併用することができるなどの利便性に優れた作業車輌における遠隔操作装置を提供することにある。
【課題を解決するための手段】
【０００７】
上記の目的を達成するため、請求項１に係る発明の作業車輌における遠隔操作装置は、車体に作業装置が架装された作業車輌において、前記作業装置を操作する無線式の遠隔操作装置が設けられ、当該無線式の遠隔操作装置は、そのケース本体が車輌に設けられた既存の有線式の遠隔操作装置のケース本体と同様に構成されたものである。
【発明の効果】
【０００８】
本発明によれば、無線式の遠隔操作装置のケース本体を既存の有線式の遠隔操作装置のケース本体と同様に構成することで、新たに無線式の遠隔操作装置を操作する場合でも作業者は、操作を今までと変わりなく使い勝手良く円滑に行うことができる。また、有線式の遠隔操作装置を収納していた収納ボックスを併用して無線式の遠隔操作装置を収納することもでき、新たに専用の収納ボックスを設置する必要なども無く利便性に優れている。
【発明を実施するための最良の形態】
【０００９】
以下、本発明の実施の形態について図面を参照して説明する。
【００１０】
図１は、作業装置としての例えば荷受台昇降装置を搭載した作業車輌の概略構成を示している。
【００１１】
図１において、１は、車輌の車体の架装された荷台であり、この荷台１とともに車体には荷受台昇降装置２が架装されている。この荷受台昇降装置２は、荷受台３と、この荷受台３を昇降させる昇降機構４とを備えている。
【００１２】
昇降機構４は、垂直方向に立設された図示しない支柱内にスライダ４１が伸縮シリンダ（図示省略）により昇降自在に設けられており、このスライダ４１の下端部に荷受台３が連結されている。
【００１３】
なお、ここで示す荷受台昇降装置２は、荷台１内に格納される格納位置と、図１に示すように荷台１外に配置される作業位置とに回動自在に設けられた荷台内格納型のものを示している。
【００１４】
そして、このように構成された荷受台昇降装置２において、荷受台３の昇降動作などは既存の有線式の遠隔操作装置、もしくは無線式の遠隔操作装置、またはその両方の操作によって行うようになされている。
【００１５】
図２乃至図４は、既存の有線式の遠隔操作装置の構成を示している。
【００１６】
この遠隔操作装置５は、ケース本体５ａの下端部に連結されたケーブル５ｂを介して図示しない制御装置に接続されている。ケース本体５ａの表面上下には、図２に示すように２つの操作スイッチ５１、５２が設けられており、例えば上側の操作スイッチ５１の操作により制御装置を通じて伸縮シリンダを縮退させてスライダ４１を上昇させることで荷受台３を上昇させ、下側の操作スイッチ５２の操作により制御装置を通じて伸縮シリンダを伸長させてスライダ４１を下降させることで荷受台３を下降させるようにしている。
【００１７】
また、ケース本体５ａは、作業者が把持して上記操作を行い易いように、その大きさ（長さ、幅及び厚み）が設定されているとともに、図３及び図４に示すように裏面に湾曲状の凹部５３が形成されている。
【００１８】
さらにケース本体５ａの裏面には、マグネット５４が上下に所定間隔を隔てて設けられており、操作時において適宜に壁面などに磁着させることによって作業者が把持することなく操作できるようになっている。
【００１９】
一方、無線式の遠隔操作装置６は、図５に示すようにケース本体６ａが前述した有線式の遠隔操作装置５のケース本体５ａと同様に構成されている。つまり、ケース本体５ａを利用して無線式の遠隔操作装置６を作製しており、これにより両者のケース本体５ａ、６ａは、操作スイッチ６１、６２やマグネットなどを含む外観、大きさなどが同一になっている。
【００２０】
また、無線式の遠隔操作装置６には、そのケース本体６ａの下端部に有線式の遠隔操作装置５のようなケーブル接続部５ｃ（図２参照）が無いものの、この部分にはストラップ取付け用のフック６ｂが設けられている。
【００２１】
そして、上記ケース本体６ａ内には、操作スイッチ６１、６２による操作信号を制御装置に送信するための送信機等が設けられている。
【００２２】
このように、無線式の遠隔操作装置６のケース本体６ａを既存の有線式の遠隔操作装置５のケース本体５ａと同様に構成することで、新たに無線式の遠隔操作装置６を操作する場合でも手慣れた有線式の遠隔操作装置５を使用していた作業者にとっては操作感覚が同様であることから使い勝手が良く、今までと変わりなく操作を円滑に行うことができる。
【００２３】
また、有線式の遠隔操作装置５を収納していた収納ボックスを併用して無線式の遠隔操作装置６を収納することもでき、新たに専用の収納ボックスを設置する必要も無い。
【００２４】
つまり、この様な無線式の遠隔操作装置６を使用したとしても今までと何ら代わりのない操作及び収納などを行うことができる。
【００２５】
さらに、有線式の遠隔操作装置５では、荷台１内と荷台１の庫外とに設けているのが通常であるが、このような無線式の遠隔操作装置６を用いれば、操作性を今までと同様に確保した上で一台の遠隔操作装置６での操作が可能になり、コストの低減を図ることもできる。また、有線式の遠隔操作装置５と無線式の遠隔操作装置６とを併設してもよい。
【００２６】
なお、上述した実施形態は、あくまでも本発明の好適な実施態様を示すものであって、本発明はこれに限定されることなく、その範囲内において種々設計変更可能である。
【００２７】
例えば、作業装置として荷受台昇降装置を搭載した作業車輌について述べたが、クレーン装置を搭載したクレーン付車輌や、車輌積込装置を搭載した車輌運搬車輌など、本発明は、作業装置を既存の有線式の遠隔操作装置により操作していた作業車輌全般に適用することができる。
【図面の簡単な説明】
【００２８】
【図１】作業車輌の概略を示す斜視図である。
【図２】有線式の遠隔操作装置を示す正面図である。
【図３】有線式の遠隔操作装置を示す裏面図である。
【図４】有線式の遠隔操作装置を示す側面図である。
【図５】無線式の遠隔操作装置を示す正面図である。
【符号の説明】
【００２９】
１  荷台
２  荷受台昇降装置（作業装置）
５  有線式の遠隔操作装置
５ａ  ケース本体
６  無線式の遠隔操作装置
６ａ  ケース本体
【図１】
2005119338.tif 000003
【図２】
2005119338.tif 000004
【図３】
2005119338.tif 000005
【図４】
2005119338.tif 000006
【図５】
2005119338.tif 000007